(57)【要約】      （修正有）【課題】  贈答する側の個性や感謝する意思を表示する情報を包装体に印刷することにより、贈答する側と贈答品を受ける側の間の親近感を高めたり、贈答を受ける側に満足感を与える等の効果を奏する贈答米の包装体を提供する。【解決手段】所望の人物の肖像及び前記人物に固有な情報が印刷されてなる贈答米の包装体に関する。贈答米の包装体は包装用シート又は袋体の包装体であることが好ましく、必要に応じて、印刷された所望の人物の肖像を含む領域が切り取り可能に構成にする。【選択図】図２
0003116788.tif 000002
【実用新案登録請求の範囲】
【請求項１】
所望の人物の肖像及び前記人物の固有の情報が印刷表示されてなることを特徴とする贈答米の包装体。
【請求項２】
前記包装体は、包装用シート又は袋体であることを特徴とする請求項１に記載の贈答米の包装体。
【請求項３】
前記所望の人物の肖像を含む所定の印刷領域が切り取り可能に構成されてことを特徴とする請求項１又は２に記載の贈答米の包装体。
【考案の詳細な説明】
【技術分野】
【０００１】
本考案は贈答米の包装体に関し、より詳細には、出産内祝や結婚式の引出物等として精米を贈呈する場合に、好みのデザインに写真等を組み合わせて印刷した贈答米の包装体に関するものである。
【背景技術】
【０００２】
出産内祝、婚礼祝、七五三等の慶事を祝する目的で、従来から、精米が贈呈品として用いられることがほとんどない。その理由として、米袋は保存や輸送等の機能面のみが重視される傾向があるため、贈答米を収納する目的で米袋が使用される場合であっても、その米袋自体は装飾性や美観に乏いものであった。そして、仮に内祝いとして米を贈呈する場合であっても、精々、出産、新築などの内祝を表すのし紙を付けられる程度であって、贈り主側の感謝の意思等が反映されにくいものであった。特に、出産祝の場合、赤ちゃんの名前や情報が書された内祝いが贈られるが、新たに生まれた赤ちゃんの顔が表示されていなければ、内祝いを受け取る側は、その実感が湧き難い。
【０００３】
上記した通り、米を収納する米袋は機能面のみが重視される傾向があり、例えば、実開平５−２４５３１号公報には、表面にすべり止め用のオーバーコートを施した米袋が開示されている。この発明の米袋は積み重ねた際に滑り難いため、自動的手段で能率よく米のパレット梱包をすることができる。このような米袋は、複数のバリエーションの装飾パターンが適宜選択されて表面の一部に印刷されて用いられるのであって、結局のところ画一的なイメージを脱することはできず、贈答する側の個性や繊細な意思が反映され難い。
【０００４】
【特許文献１】実開平５−２４５３１号公報
【考案の開示】
【考案が解決しようとする課題】
【０００５】
慶事を祝する当事者側は、祝されるべき人物の顔写真、氏名、名称等を印刷表示したい場合が多い。しかしながら、精米を贈呈する場合であっても、その包装体自体には、一般的に、品名、産地、品種、産年、正味重量、添加物等の情報が袋の一部に印刷されているに留まり、上記したように、贈答する側の写真、個性、感謝等の意思が反映されるとは言い難い。そして、出産内祝の場合、例えば、「新米登場」等、慶事する出来事の概要を示唆するユニークなあて文字等の文字情報と共に、内祝いされる赤ちゃんの写真が掲載されていれば、贈答の内容を具体的に相手方に伝えることができるばかりでなく、贈答を受ける側は親近感が湧き、人に感謝されたことに一定の満足感を得ることができるので、精米を食する際の美味しさをひきたてる効果を期待できる。
【０００６】
本考案は斯る点に鑑みて提案されるものであって、贈答する側の個性や感謝する意思を表示する情報を包装体に印刷することにより、贈答する側と贈答品を受ける側の間の親近感を高めたり、贈答を受ける側に満足感を与える等の効果を奏する贈答米の包装体を提供することである。
【課題を解決するための手段】
【０００７】
上記の課題を解決するため、請求項１に記載の贈答米の包装体は、所望の人物の肖像及び前記人物に固有な情報が印刷されてなることを特徴とする。
【０００８】
請求項２に記載の贈答米の包装体は、請求項１に記載の贈答米の包装体において、包装用シート又は袋体の包装体であることを特徴とする。
【０００９】
請求項３に記載の贈答米の包装体は、請求項１又は２に記載の贈答米の包装体において、印刷された所望の人物の肖像を含む領域が切り取り可能に構成されてことを特徴とする。
【考案の効果】
【００１０】
本考案は、所望の人物の肖像及び前記人物に関する固有の情報が印刷してなるので、贈答を受ける側は親近感や、人に感謝されたことに一定の満足感を得る等の情操を養うことができ、精米を食する際の美味しさをひきたてる心理的効果を与えることができる。
【００１１】
また、請求項３に記載の考案によれば、印刷された所望の人物の肖像を含む領域が切り取り可能に構成されているので、その部分の切り取りが容易である。従って、贈答米の包装体が所定の機能を果たした後であっても、記念されるべき人物の顔写真等の肖像部分を記念写真として保存できるので、請求項３に記載の考案は、情操を養うものとしてより好適である。
【考案を実施するための最良の形態】
【００１２】
本考案の贈答米の包装体に印刷される肖像として、記念されるべき特定の人物の顔写真や、その肖像画が挙げられる。また、上記肖像とともに、記念されるべき特定の人物と関連性の高い近縁者の写真や、愛玩動物の写真、当事者をあしらったマンガ、風景画、花や鳥等の静物画等が適宜選択して自由にレイアウトしたものであれば、より強力な印象付けができるので好ましい。
【００１３】
また、上記特定の人物の固有な情報として、性別、生まれた日付、氏名、出生後の身長及び体重、各種誕生日や結婚式の日付等の文字情報や、生まれた赤ちゃんの手形や足形などの身体の特徴を表す図形等を挙げることができる。また、印刷される人物の肖像や、手形や足形等の身体的特徴については、金色などの色加工や立体感を成す加工が施されたものであっても良い。
【００１４】
包装体に印刷される肖像の輪郭部分は、丸形、楕円形、ハート型、星型等自由に形成される。慶事の内容、贈答品により記念されるべき人物によって、それに対応した形に形成することにより、一層の個性を強調することができる。
【００１５】
前記所望の人物の肖像を含む所定の印刷領域の周囲に切り取り線を設ける場合、丸形、楕円形、ハート型、星型等、所望の形に形成することができる。そして、切り取り線に沿ってミシン目を入れておくことにより、はさみ等の刃物を用いないで切り取り線に沿って切り取り可能に構成できる。また、「切り取り線に沿ってはさみで切り取って下さい」といった補助的な表示が印刷されていれば、贈答を受ける側が記念されるべき人物の顔写真等の肖像部分を記念写真として保存することができる。
【００１６】
印刷される包装体の基材は、印刷される面の部分が印刷可能になっていれば良く、紙で有るかポリエチレン等のプラスチックフィルムであるかを問わない。また、包装体は包装用シート又は袋体であることが好ましく、印刷面を形成したポリエステルフィルム又は紙シートと、アルミフォイルと、ポリエチレンフイルムとをラミネート加工した複合フイルムで構成することができる。
【実施例】
【００１７】
（実施例１）
本考案の実施例１の贈答米の包装体１は、図１に示すように、縦書で「内祝」と書される等の規格化されたシート２の正面に、出産内祝される赤ちゃんの肖像（顔写真）３と、その赤ちゃんの固有の情報（生年月日、生後の体重及び身長等）４、赤ちゃんの家族の名字「○○」５、両親からのコメント６が印刷されている例である。尚、固有の情報４の品名「○○米」の「○○」の部分には、写真３の赤ちゃんの名前を採用して印刷することができる。また、本実施例では、「新米登場」という赤ちゃんの出現と米の種類とを合わせたユニークな語呂合わせの文字情報７ａを記載したり、「赤ちゃんと同じ重さです。」という文字情報７ｂを表示して米の内容量を赤ちゃんの体重と同一にしているので、贈答米の受取人はその赤ちゃんを抱き上げた際の重みを実感することができるし、内容量を簡単に確認することができる。
【００１８】
（実施例２）
本考案の実施例２の贈答米の包装体１は、図２及び図３に示すように、横書で「内祝」と書される等の規格化された袋体８の正面に、出産内祝される赤ちゃんの顔写真３と、その赤ちゃんの固有の情報４等が印刷されている例である。尚、実施例２の贈答米の包装体１には、赤ちゃんの顔写真３及び赤ちゃんの固有の情報４を含む領域の周囲にミシン目の切り取り線８ａが入れてある。これにより、包装体１の使用後、切り取り線８ａを切り取って、出産内祝される赤ちゃんの大切な記念写真として保存できる。また、実施例２の贈答米の包装体１では、ラミネートフィルム９が上記ミシン目の切り取り線８ａで囲まれる部分を剥離可能に弱接着されている。そのため、贈答米の包装体１が米の保存容器として使用されている状態であっても、赤ちゃんの顔写真３及び赤ちゃんの固有の情報４を含む領域の印刷状態を良好に維持することができる。
【００１９】
そして、本考案によれば、包装体１の表面に、顔写真３、情報４、名字５、コメント６、及び文字情報７ａ、７ｂなどを直接印刷してもよいし、これらの情報などを印刷したシート材を無地の包装体の表面に貼設してもよい。
【図面の簡単な説明】
【００２０】
【図１】実施例１のシート状の贈答米の包装体１を示す正面図である。
【図２】実施例２の袋状の贈答米の包装体１を示す正面図である。
【図３】図２の贈答米の包装体１の斜視図である。
【符号の説明】
【００２１】
１    贈答米の包装体
２    シート
３    肖像（顔写真）
４    赤ちゃんの固有の情報
６    両親からのコメント
８    袋体
８ａ  ミシン目の切り取り線
９    ラミネートフィルム
【図１】
0003116788.tif 000003
【図２】
0003116788.tif 000004
【図３】
0003116788.tif 000005
【手続補正書】
【提出日】平成17年9月22日(2005.9.22)
【手続補正１】
【補正対象書類名】実用新案登録請求の範囲
【補正対象項目名】全文
【補正方法】変更
【補正の内容】
【実用新案登録請求の範囲】
【請求項１】
所望の人物の肖像及び前記人物の固有の情報が印刷表示されてなることを特徴とする、贈答米の包装用シート又は袋体。
【請求項２】
前記所望の人物の肖像を含む所定の印刷領域が、切り取り線又はミシン目により切り取り可能に構成されたことを特徴とする、請求項１に記載の贈答米の包装用シート又は袋体。
【手続補正２】
【補正対象書類名】明細書
【補正対象項目名】０００１
【補正方法】変更
【補正の内容】
【０００１】
本考案は贈答米の包装体に関し、より詳細には、出産内祝や結婚式の引出物等として精米を贈呈する場合に、好みのデザインに写真等を組み合わせて印刷した贈答米の包装用シート又は袋体に関するものである。
【手続補正３】
【補正対象書類名】明細書
【補正対象項目名】０００７
【補正方法】変更
【補正の内容】
【０００７】
上記の課題を解決するため、本考案の贈答米の包装体は、所望の人物の肖像及び前記人物に固有な情報が印刷されてなることを特徴とする。
【手続補正４】
【補正対象書類名】明細書
【補正対象項目名】０００８
【補正方法】変更
【補正の内容】
【０００８】
請求項１に記載の贈答米の包装体は、所望の人物の肖像及び前記人物の固有の情報が印刷表示されてなる贈答米の包装用シート又は袋体であることを特徴とする。
【手続補正５】
【補正対象書類名】明細書
【補正対象項目名】０００９
【補正方法】変更
【補正の内容】
【０００９】
請求項２に記載の贈答米の包装体は、請求項１に記載の贈答米の包装用シート又は袋体において、印刷された所望の人物の肖像を含む領域が所定の印刷領域が、切り取り線又はミシン目により切り取り可能に構成されたことを特徴としている。
【手続補正６】
【補正対象書類名】明細書
【補正対象項目名】００１１
【補正方法】変更
【補正の内容】
【００１１】
また、請求項２に記載の考案によれば、印刷された所望の人物の肖像を含む領域が切り取り可能に構成されているので、その部分の切り取りが容易である。従って、贈答米の包装体が所定の機能を果たした後であっても、記念されるべき人物の顔写真等の肖像部分を記念写真として保存できるので、請求項２に記載の考案は、情操を養うものとしてより好適である。